(57)【要約】      （修正有）【課題】ウィルス、細菌、花粉、埃などを効果的に補足できるとともに、ウィルスや細菌に対して抗ウィルス・抗菌・静菌作用などを付与することができるマスクを提供する。【解決手段】本マスクは、マスク本体２と、耳掛け部３と、を備え、マスク本体は、使用者の皮膚に接する側に配置される内側層１０と、内側層よりも外側に配置される第１フィルタ層１１及び第２フィルタ層１２と、を備える。そして、内側層は、不織布により形成されており、第１フィルタ層は、銀繊維及び銅繊維のうちの少なくとも一方の繊維を含む不織布又は濾紙により形成されており、第２フィルタ層は、内側層の不織布の繊維よりも平均繊度が小さい繊維からなる不織布により形成されている。【選択図】図３
0003232524.tif 000002
【実用新案登録請求の範囲】
【請求項１】
マスク本体と、前記マスク本体の両側部に設けられる耳掛け部と、を備えるマスクであって、
前記マスク本体は、使用者の皮膚に接する側に配置される内側層と、前記内側層よりも外側に配置される第１フィルタ層及び第２フィルタ層と、を備え、
前記内側層は、不織布により形成されており、
前記第１フィルタ層は、銀繊維及び銅繊維のうちの少なくとも一方の繊維を含む不織布又は濾紙により形成されており、
前記第２フィルタ層は、前記内側層の不織布の繊維よりも平均繊度が小さい繊維からなる不織布により形成されていることを特徴とするマスク。
【請求項２】
前記少なくとも一方の繊維は、前記不織布内又は前記濾紙内に分散されている請求項１に記載のマスク。
【請求項３】
前記第２フィルタ層は、メルトブローン不織布により形成されている請求項１又は２に記載のマスク。
【請求項４】
前記第２フィルタ層は、帯電性を有する請求項１乃至３のいずれか一項に記載のマスク。
【請求項５】
前記第２フィルタ層は、前記第１フィルタ層よりも外側に配置されている請求項１乃至４のいずれか一項に記載のマスク。
【請求項６】
前記マスク本体は、前記第１フィルタ層及び前記第２フィルタ層よりも外側に配置される外側層を備え、
前記外側層は、不織布により形成されている請求項１乃至５のいずれか一項に記載のマスク。
【請求項７】
前記内側層及び前記外側層は、スパンボンド不織布により形成されている請求項６に記載のマスク。
【請求項８】
前記内側層のスパンボンド不織布の層数は、前記外側層のスパンボンド不織布の層数より多い請求項７に記載のマスク。
【請求項９】
前記内側層及び前記外側層は、ポリプロピレンの短繊維からなる不織布により形成されている請求項６に記載のマスク。
【請求項１０】
前記内側層、前記第１フィルタ層、前記第２フィルタ層及び前記外側層の各外周縁部が溶着されている請求項６乃至９のいずれか一項に記載のマスク。
【請求項１１】
前記マスク本体の上縁部には、その上縁部が使用者の鼻に密着するように変形可能な形状保持部が設けられており、
前記形状保持部は、樹脂板からなる請求項１乃至１０のいずれか一項に記載のマスク。
【請求項１２】
前記マスク本体の上縁部には、その上縁部が使用者の鼻に密着するように変形可能な形状保持部が設けられており、
前記形状保持部は、樹脂板と、前記樹脂板内に埋設された上下に平行な複数本の金属ワイヤーと、を有する請求項１乃至１０のいずれか一項に記載のマスク。
【請求項１３】
前記耳掛け部は、平ゴム紐により構成されている請求項１乃至１２のいずれか一項に記載のマスク。
【請求項１４】
前記少なくとも一方の繊維は、前記不織布内又は前記濾紙内に分散されており、
前記第２フィルタ層は、帯電性を有するメルトブローン不織布により形成されているとともに、前記第１フィルタ層よりも外側に配置されており、
前記マスク本体は、前記第１フィルタ層及び前記第２フィルタ層よりも外側に配置される外側層を備え、
前記内側層及び前記外側層は、スパンボンド不織布により形成されており、
前記内側層のスパンボンド不織布の層数は、前記外側層のスパンボンド不織布の層数よりも多く、
前記内側層、前記第１フィルタ層、前記第２フィルタ層及び前記外側層の各外周縁部が溶着されており、
前記マスク本体の上縁部には、その上縁部が使用者の鼻に密着するように変形可能な形状保持部が設けられており、
前記形状保持部は、樹脂板からなり、
前記耳掛け部は、平ゴム紐により構成されている請求項１に記載のマスク。
【請求項１５】
前記少なくとも一方の繊維は、前記不織布内又は前記濾紙内に分散されており、
前記第２フィルタ層は、帯電性を有するメルトブローン不織布により形成されているとともに、前記第１フィルタ層よりも外側に配置されており、
前記マスク本体は、前記第１フィルタ層及び前記第２フィルタ層よりも外側に配置される外側層を備え、
前記内側層及び前記外側層は、ポリプロピレンの短繊維からなる不織布により形成されており、
前記内側層、前記第１フィルタ層、前記第２フィルタ層及び前記外側層の各外周縁部が溶着されており、
前記マスク本体の上縁部には、その上縁部が使用者の鼻に密着するように変形可能な形状保持部が設けられており、
前記形状保持部は、樹脂板からなり、
前記耳掛け部は、平ゴム紐により構成されている請求項１に記載のマスク。
【請求項１６】
前記少なくとも一方の繊維は、前記不織布内又は前記濾紙内に分散されており、
前記第２フィルタ層は、帯電性を有するメルトブローン不織布により形成されているとともに、前記第１フィルタ層よりも外側に配置されており、
前記マスク本体は、前記第１フィルタ層及び前記第２フィルタ層よりも外側に配置される外側層を備え、
前記内側層及び前記外側層は、スパンボンド不織布により形成されており、
前記内側層のスパンボンド不織布の層数は、前記外側層のスパンボンド不織布の層数よりも多く、
前記内側層、前記第１フィルタ層、前記第２フィルタ層及び前記外側層の各外周縁部が溶着されており、
前記マスク本体の上縁部には、その上縁部が使用者の鼻に密着するように変形可能な形状保持部が設けられており、
前記形状保持部は、樹脂板と、前記樹脂板内に埋設された上下に平行な２本の金属ワイヤーと、を有し、
前記耳掛け部は、平ゴム紐により構成されている請求項１に記載のマスク。
【請求項１７】
前記少なくとも一方の繊維は、前記不織布内又は前記濾紙内に分散されており、
前記第２フィルタ層は、帯電性を有するメルトブローン不織布により形成されているとともに、前記第１フィルタ層よりも外側に配置されており、
前記マスク本体は、前記第１フィルタ層及び前記第２フィルタ層よりも外側に配置される外側層を備え、
前記内側層及び前記外側層は、ポリプロピレンの短繊維からなる不織布により形成されており、
前記内側層、前記第１フィルタ層、前記第２フィルタ層及び前記外側層の各外周縁部が溶着されており、
前記マスク本体の上縁部には、その上縁部が使用者の鼻に密着するように変形可能な形状保持部が設けられており、
前記形状保持部は、樹脂板と、前記樹脂板内に埋設された上下に平行な２本の金属ワイヤーと、を有し、
前記耳掛け部は、平ゴム紐により構成されている請求項１に記載のマスク。
【考案の詳細な説明】
【技術分野】
【０００１】
本考案は、マスクに関し、更に詳しくは、マスク本体の両側部に耳掛け部を備えてなるマスクに関する。
【背景技術】
【０００２】
従来のマスクとして、マスク本体の両側部に耳掛け部を備えてなるものが一般に知られている（例えば、特許文献１等を参照）。このマスクは、花粉症対策、風邪やインフルエンザの予防対策などとして着用される。特に、近年、感染症（例えば、新型コロナウィルス肺炎のCOVID-19）が大流行しており、咳やくしゃみ等による飛沫を防止するために着用される。
この種のマスクとして、メルトブローン不織布により形成された高密度フィルタ層を用いることが多い（例えば、特許文献２等を参照）。特許文献２には、メルトブローン不織布の高密度フィルタ層と、銀系抗菌剤（即ち、銀を各種の無機物担体に担持したもの）を含む不織布と、を熱エンボスロールにより一体化してマスク用複合不織布を得る技術が開示されている。
【先行技術文献】
【特許文献】
【０００３】
【特許文献１】実用新案登録第３２３０６０４号公報
【特許文献２】特開２０１０−２４２２５５号公報
【考案の概要】
【考案が解決しようとする課題】
【０００４】
しかし、特許文献２の技術では、銀系抗菌剤を用いているので、ウィルスや細菌に対して抗ウィルス・抗菌・静菌作用などが十分に付与されない恐れがある。また、不織布としての一体感が乏しく、また劣化等により銀系抗菌剤が脱離してしまう恐れがある。さらに、熱エンボスロールにより高密度フィルタ層と不織布とを略全面域で一体化しているので、柔軟性が低くなる。
【０００５】
本考案は、上記現状に鑑みてなされたものであり、ウィルス、細菌、花粉、埃などを効果的に補足できるとともに、ウィルスや細菌に対して抗ウィルス・抗菌・静菌作用などを効果的に付与することができるマスクを提供することを目的とする。
【課題を解決するための手段】
【０００６】
本考案は、以下の通りである。
１．マスク本体と、前記マスク本体の両側部に設けられる耳掛け部と、を備えるマスクであって、
前記マスク本体は、使用者の皮膚に接する側に配置される内側層と、前記内側層よりも外側に配置される第１フィルタ層及び第２フィルタ層と、を備え、
前記内側層は、不織布により形成されており、
前記第１フィルタ層は、銀繊維及び銅繊維のうちの少なくとも一方の繊維を含む不織布又は濾紙により形成されており、
前記第２フィルタ層は、前記内側層の不織布の繊維よりも平均繊度が小さい繊維からなる不織布により形成されていることを特徴とするマスク。
２．前記少なくとも一方の繊維は、前記不織布内又は前記濾紙内に分散されている上記１．に記載のマスク。
３．前記第２フィルタ層は、メルトブローン不織布により形成されている上記１．又は２．に記載のマスク。
４．前記第２フィルタ層は、帯電性を有する上記１．乃至３．のいずれか一項に記載のマスク。
５．前記第２フィルタ層は、前記第１フィルタ層よりも外側に配置されている上記１．乃至４．のいずれか一項に記載のマスク。
６．前記マスク本体は、前記第１フィルタ層及び前記第２フィルタ層よりも外側に配置される外側層を備え、
前記外側層は、不織布により形成されている上記１．乃至５．のいずれか一項に記載のマスク。
７．前記内側層及び前記外側層は、スパンボンド不織布により形成されている上記６．に記載のマスク。
８．前記内側層のスパンボンド不織布の層数は、前記外側層のスパンボンド不織布の層数より多い上記７．に記載のマスク。
９．前記内側層及び前記外側層は、ポリプロピレンの短繊維からなる不織布により形成されている上記６．に記載のマスク。
１０．前記内側層、前記第１フィルタ層、前記第２フィルタ層及び前記外側層の各外周縁部が溶着されている上記６．乃至９．のいずれか一項に記載のマスク。
１１．前記マスク本体の上縁部には、その上縁部が使用者の鼻に密着するように変形可能な形状保持部が設けられており、
前記形状保持部は、樹脂板からなる上記１．乃至１０．のいずれか一項に記載のマスク。
１２．前記マスク本体の上縁部には、その上縁部が使用者の鼻に密着するように変形可能な形状保持部が設けられており、
前記形状保持部は、樹脂板と、前記樹脂板内に埋設された上下に平行な複数本の金属ワイヤーと、を有する上記１．乃至１０．のいずれか一項に記載のマスク。
１３．前記耳掛け部は、平ゴム紐により構成されている上記１．乃至１２．のいずれか一項に記載のマスク。
１４．前記少なくとも一方の繊維は、前記不織布内又は前記濾紙内に分散されており、
前記第２フィルタ層は、帯電性を有するメルトブローン不織布により形成されているとともに、前記第１フィルタ層よりも外側に配置されており、
前記マスク本体は、前記第１フィルタ層及び前記第２フィルタ層よりも外側に配置される外側層を備え、
前記内側層及び前記外側層は、スパンボンド不織布により形成されており、
前記内側層のスパンボンド不織布の層数は、前記外側層のスパンボンド不織布の層数よりも多く、
前記内側層、前記第１フィルタ層、前記第２フィルタ層及び前記外側層の各外周縁部が溶着されており、
前記マスク本体の上縁部には、その上縁部が使用者の鼻に密着するように変形可能な形状保持部が設けられており、
前記形状保持部は、樹脂板からなり、
前記耳掛け部は、平ゴム紐により構成されている上記１．に記載のマスク。
１５．前記少なくとも一方の繊維は、前記不織布内又は前記濾紙内に分散されており、
前記第２フィルタ層は、帯電性を有するメルトブローン不織布により形成されているとともに、前記第１フィルタ層よりも外側に配置されており、
前記マスク本体は、前記第１フィルタ層及び前記第２フィルタ層よりも外側に配置される外側層を備え、
前記内側層及び前記外側層は、ポリプロピレンの短繊維からなる不織布により形成されており、
前記内側層、前記第１フィルタ層、前記第２フィルタ層及び前記外側層の各外周縁部が溶着されており、
前記マスク本体の上縁部には、その上縁部が使用者の鼻に密着するように変形可能な形状保持部が設けられており、
前記形状保持部は、樹脂板からなり、
前記耳掛け部は、平ゴム紐により構成されている上記１．に記載のマスク。
１６．前記少なくとも一方の繊維は、前記不織布内又は前記濾紙内に分散されており、
前記第２フィルタ層は、帯電性を有するメルトブローン不織布により形成されているとともに、前記第１フィルタ層よりも外側に配置されており、
前記マスク本体は、前記第１フィルタ層及び前記第２フィルタ層よりも外側に配置される外側層を備え、
前記内側層及び前記外側層は、スパンボンド不織布により形成されており、
前記内側層のスパンボンド不織布の層数は、前記外側層のスパンボンド不織布の層数よりも多く、
前記内側層、前記第１フィルタ層、前記第２フィルタ層及び前記外側層の各外周縁部が溶着されており、
前記マスク本体の上縁部には、その上縁部が使用者の鼻に密着するように変形可能な形状保持部が設けられており、
前記形状保持部は、樹脂板と、前記樹脂板内に埋設された上下に平行な２本の金属ワイヤーと、を有し、
前記耳掛け部は、平ゴム紐により構成されている上記１．に記載のマスク。
１７．前記少なくとも一方の繊維は、前記不織布内又は前記濾紙内に分散されており、
前記第２フィルタ層は、帯電性を有するメルトブローン不織布により形成されているとともに、前記第１フィルタ層よりも外側に配置されており、
前記マスク本体は、前記第１フィルタ層及び前記第２フィルタ層よりも外側に配置される外側層を備え、
前記内側層及び前記外側層は、ポリプロピレンの短繊維からなる不織布により形成されており、
前記内側層、前記第１フィルタ層、前記第２フィルタ層及び前記外側層の各外周縁部が溶着されており、
前記マスク本体の上縁部には、その上縁部が使用者の鼻に密着するように変形可能な形状保持部が設けられており、
前記形状保持部は、樹脂板と、前記樹脂板内に埋設された上下に平行な２本の金属ワイヤーと、を有し、
前記耳掛け部は、平ゴム紐により構成されている上記１．に記載のマスク。
【考案の効果】
【０００７】
本考案のマスクによると、マスク本体は、使用者の皮膚に接する側に配置される内側層と、内側層よりも外側に配置される第１フィルタ層及び第２フィルタ層と、を備え、内側層は、不織布により形成されており、第１フィルタ層は、銀繊維及び銅繊維のうちの少なくとも一方の繊維を含む不織布又は濾紙により形成されており、第２フィルタ層は、内側層の不織布の繊維よりも平均繊度が小さい繊維からなる不織布により形成されている。これにより、内側層、第１フィルタ層及び第２フィルタ層によってウィルス、細菌、花粉、埃などが効果的に補足されるとともに、第１フィルタ層で捕捉されたウィルスや細菌に対して銀繊維又は銅繊維との接触により抗ウィルス・抗菌・静菌作用などが効果的に付与される。さらに、銀繊維及び／又は銅繊維を用いているため、不織布又は濾紙として一体感があり、また劣化による脱離が抑制される。
【０００８】
また、前記少なくとも一方の繊維が、前記不織布内又は前記濾紙内に分散されている場合は、第１フィルタ層による抗ウィルス・抗菌・静菌作用などが更に高められる。
【０００９】
前記第２フィルタ層が、メルトブローン不織布により形成されている場合は、第２フィルタ層によるウィルス等の捕捉効率が更に高められる。
【００１０】
また、前記第２フィルタ層が、帯電性を有する場合は、第２フィルタ層によるウィルス等の捕捉効率が更に高められる。
【００１１】
また、前記第２フィルタ層が、前記第１フルタよりも外側に配置されている場合は、マスクの外側から侵入するウィルス、細菌、花粉、埃などが第２フィルタ層で補足され、第２フィルタ層を通過した極小のものが第１フィルタ層で捕捉される。よって、第１フィルタ層による抗ウィルス・抗菌・静菌作用などが更に高められる。
【００１２】
また、前記マスク本体が、前記第１フィルタ層及び前記第２フィルタ層よりも外側に配置される外側層を備え、前記外側層が、不織布により形成されている場合は、ウィルス等の捕捉効率が更に高められる。
【００１３】
また、前記内側層及び前記外側層が、スパンボンド不織布により形成されている場合は、安価で且つ柔軟性に優れた内側層及び外側層を提供できる。
【００１４】
また、前記内側層のスパンボンド不織布の層数が、前記外側層のスパンボンド不織布の層数より多い場合は、内側層及び外側層のコストを抑えつつ、使用者の肌にやさしい柔らかな内側層を提供できる。
【００１５】
また、前記内側層及び前記外側層が、ポリプロピレンの短繊維からなる不織布により形成されている場合は、安価で且つ柔軟性に優れた内側層及び外側層を提供できる。
【００１６】
また、前記内側層、前記第１フィルタ層、前記第２フィルタ層及び前記外側層の各外周縁部が溶着されている場合は、各層の外周縁部の内側が溶着されていないため、柔軟性に優れたマスクを提供できる。
【００１７】
また、前記マスク本体の上縁部に、その上縁部が使用者の鼻に密着するように変形可能な形状保持部が設けられており、前記形状保持部が、樹脂板からなる場合は、金属ワイヤーを用いていないので、安全且つさびにくく、更に鼻形状に沿わせることも容易である。
【００１８】
また、前記マスク本体の上縁部に、その上縁部が使用者の鼻に密着するように変形可能な形状保持部が設けられており、前記形状保持部が、樹脂板と、前記樹脂板内に埋設された上下に平行な複数本の金属ワイヤーと、を有する場合は、鼻形状に容易に沿わせて鼻周辺の隙間を少なくすることができる。
【００１９】
さらに、前記耳掛け部が、平ゴム紐により構成されている場合は、使用者の耳が痛くなりにくい。
【図面の簡単な説明】
【００２０】
本考案について、本考案による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るマスクの正面図である。
【図２】図１のＩＩ矢視図である。
【図３】上記マスクの分解状態を示す斜視図である。
【図４】図１のＩＶ−ＩＶ線断面図である。
【図５】上記マスクの第１フィルタ層を説明するための説明図である。
【図６】他の形態に係る形状保持部を説明するための説明図であり、（ａ）は平面図を示し、（ｂ）はｂ−ｂ線断面拡大図を示す。
【図７】他の形態に係るマスクを説明するための要部断面図であり、（ａ）は４層構造のマスクを示し、（ｂ）は３層構造のマスクを示し、（ｃ）（ｄ）は５層構造のマスクを示す。
【図８】他の形態に係る第１フィルタ層を説明するための説明図であり、（ａ）は銅繊維を含む不織布により形成された形態を示し、（ｂ）は銀繊維及び銅繊維を含む不織布により形成された形態を示す。
【考案を実施するための形態】
【００２１】
ここで示される事項は例示的なものおよび本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００２２】
本実施形態に係るマスクは、例えば、図１及び図２に示すように、マスク本体２と、マスク本体２の両側部に設けられる耳掛け部３と、を備えるマスク１である。そして、例えば、図３及び図４に示すように、マスク本体２は、使用者の皮膚に接する側に配置される内側層１０と、内側層１０よりも外側に配置される第１フィルタ層１１及び第２フィルタ層１２と、を備え、内側層１０は、不織布により形成されており、第１フィルタ層１１は、銀繊維１７及び銅繊維１８のうちの少なくとも一方の繊維を含む不織布又は濾紙により形成されており、第２フィルタ層１２は、内側層１０の不織布の繊維よりも平均繊度が小さい繊維からなる不織布により形成されている。
【００２３】
上記「マスク本体２」の形態は特に問わない。マスク本体２は、例えば、内側層１０、第１フィルタ層１１及び第２フィルタ層１２を備える３層構造（図７（ｂ）参照）であってもよいが、ウィルス等の捕捉効率等の観点から、４層以上の構造であることが好ましい。この場合、例えば、マスク本体２は、第１フィルタ層１１及び前記第２フィルタ層１２よりも外側に配置される外側層１３を備え、外側層１３は、不織布により形成されていることができる（図３参照）。これら内側層１０、第１フィルタ層１１、第２フィルタ層１２及び外側層１３は、例えば、それら各外周縁部が溶着されていることができる。
【００２４】
マスク本体２の上縁部には、例えば、その上縁部が使用者の鼻に密着するように変形可能な形状保持部４が設けられていることができる（図１参照）。この形状保持部４は、例えば、樹脂板４ａからなる形態であってもよいし、樹脂板４ａと、樹脂板４ａ内に埋設された上下に平行な複数本の金属ワイヤー４ｂと、を有する形態（図６参照）であってもよい。なお、樹脂板４ａとしては、例えば、ポリオレフィン系樹脂（ポリプロピレン、ポリエチレンなど）、ポリ塩化ビニル系樹脂、メタクリル系樹脂等を採用できる。
【００２５】
上記「耳掛け部３」の形態は特に問わない。耳掛け部３は、例えば、断面丸形状の丸ゴム紐により構成されていてもよいが、使用者の耳への装着性等の観点から、断面扁平状の平ゴム紐により構成されていることが好ましい（図３参照）。
【００２６】
上記「内側層１０」の形態は特に問わない。内側層１０は、通常、マスク本体２の最内側を構成する。この内側層１０を構成する不織布の種類等は特に問わないが、安価で且つ柔軟性に優れる等の観点から、スパンボンド不織布であることが好ましい。このスパンボンド不織布は、例えば、単層であってもよいし、多層（ＳＳ不織布、ＳＳＳ不織布等）であってもよい。さらに、スパンボンド不織布を構成する繊維の平均繊度としては、例えば、０．５〜６．０デニール（特に１．５〜４．０デニール）が挙げられる。なお、スパンボンド不織布は、通常、連続した長繊維からなる不織布である。
また、内側層１０は、例えば、ポリプロピレンの短繊維からなる不織布により形成されていることができる。
【００２７】
内側層１０の不織布を構成する繊維としては、例えば、レーヨン、キュプラなどの再生繊維；アセテートなどの半合成繊維；ナイロン、ビニロン、ビニリデン、ポリ塩化ビニル、ポリエステル、アクリル、ポリオレフィン（ポリプロピレン、ポリエチレンなど）、ポリウレタンなどの単一樹脂からなる、又はこれら樹脂を２種類以上含む合成繊維；綿、麻、竹などの植物繊維；羊毛、絹などの動物繊維；などを単独で、又は２種類以上を含むことができる。
なお、上記の繊維は、例えば、バインダによる接着、構成繊維による融着、及び／又はニードルや水流などによる繊維同士の絡合、により結合していることができる。
【００２８】
上記「第１フィルタ層１１」の形態は特に問わない。第１フィルタ層１１を構成する銀繊維１７としては、例えば、銀又は銀合金からなる繊維、アクリル繊維等の合成繊維に銀又は銀合金をコーティングしてなる繊維などを採用できる。また、第１フィルタ層１１を構成する銅繊維１８としては、例えば、銅又は銅合金からなる繊維、アクリル繊維等の合成繊維に銅又は銅合金をコーティングしてなる繊維などを採用できる。
第１フィルタ層１１を構成する銀繊維１７及び／又は銅繊維１８は、例えば、所定方向に向くように配置されていてもよいが、抗ウィルス・抗菌・静菌性等の観点から、第１フィルタ層１１を構成する不織布内又は濾紙内にランダムに分散されていることが好ましい（図５参照）。
第１フィルタ層１１を構成する不織布の種類等は特に問わない。この不織布を構成する繊維（即ち、銀繊維１７及び銅繊維１８を除く繊維）としては、例えば、上記の内側層１０の不織布を構成する繊維を適用できる。
第１フィルタ層１１を構成する濾紙の種類等は特に問わない。この濾紙は、例えば、防水性を有することができる。さらに、濾紙としては、例えば、セルロース系濾紙、ガラス繊維系濾紙等を採用できる。
【００２９】
ここで、第１フィルタ層１１で補足されたウィルスや細菌は、銀繊維１７及び／又は銅繊維１８と接触することで抗ウィルス・抗菌・静菌作用が付与される。
具体的に、銀イオンは微生物（ウィルス、細菌、真菌、藻類等）に対して、極微量（０．０１ｍｇ／Ｌ以下）で細胞活動を奪うことから極微量作用といわれている。酸素と乖離して生じる銀イオンは、不安定な状況（プラスに帯電Ａｇ＋）にある為、微生物（マイナスに帯電）の酸素と結びつこうとして微生物の細胞壁に付着し、細胞壁が破壊されて死滅（殺菌効果）すると考えられている。また、細胞壁が強い微生物では細胞壁は破壊されないが、プラスイオンが細胞壁に付着されてしまうとタンパク合成の阻害を起こして分裂できなくなってしまい、微生物は動けなくなり増えることもできないと考えられている。これらが抗ウィルス・抗菌・静菌作用である。
また、銅イオンは、ウィルスのエンベロープ膜の細胞膜に穴を形成し、内部コンテンツの漏洩を促進させ、銅イオンによる活性酸素種が、ウィルスの脂質とタンパク質を分解し、銅イオンによって生成されたフリーラジカルが、遺伝物質に到達してダメージを与え、ウイルスタンパク質に影響を及ぼし、ウィルス感染する能力を減少させ、活性酸素がウィルスカプシドのタンパク質にダメージを与えると考えられている。さらに、銅イオンは、細菌の細胞膜に穴を形成し、内部コンテンツの漏洩 を促進させ、銅イオンによる活性酸素種が、菌の脂質とタンパク質を分解し、銅イオンとフリーラジカルが核に到達し、細菌のＤＮＡに影響を与え、鞭毛と繊毛は酸化反応の影響を受け、その結果運動性が低下し、細菌のエネルギー生成と生物学的内部プロセスは、銅イオンの影響を受けると考えられている。
【００３０】
上記「第２フィルタ層１２」の形態は特に問わない。第２フィルタ層１２を構成する不織布の種類等は特に問わないが、ウィルス等の捕捉効率等の観点から、メルトブローン不織布であることが好ましい。このメルトブローン不織布を構成する繊維の平均繊度としては、例えば、０．１〜０．５デニール（特に０．１〜０．３デニール）が挙げられる。また、第２フィルタ層は、ウィルス等の捕捉効率等の観点から、帯電性を有することが好ましい。この帯電性不織布としては、例えば、（１）不織布形成後に、コロナ放電、極性液体を介して力を作用させるなどの帯電処理によりエレクトレット化して帯電させた不織布、（２）不織布構成繊維同士の摩擦を利用して帯電させた不織布、（３）帯電フィルムを引き裂いて形成した繊維から形成した不織布などを挙げることができる。
なお、第２フィルタ層１２の不織布を構成する繊維としては、例えば、上記の内側層１０の不織布を構成する繊維を適用できる。
【００３１】
第２フィルタ層１２は、例えば、第１フィルタ層１１よりも内側（即ち、使用者の皮膚に接する側）に配置されていてもよいが、第１フィルタ層１１による抗ウィルス・抗菌・静菌作用などの観点から、第１フィルタ層１１よりも外側に配置されていることが好ましい。
【００３２】
上記「外側層１３」の形態は特に問わない。外側層１３は、通常、マスク本体２の最外側を構成する。この外側層１３を構成する不織布の種類等は特に問わないが、安価で且つ柔軟性に優れる等の観点から、スパンボンド不織布であることが好ましい。このスパンボンド不織布は、例えば、単層であってもよいし、多層（ＳＳ不織布、ＳＳＳ不織布等）であってもよい。さらに、スパンボンド不織布を構成する繊維の平均繊度としては、例えば、０．５〜６．０デニール（特に１．５〜４．０デニール）が挙げられる。なお、スパンボンド不織布は、通常、連続した長繊維からなる不織布である。
また、外側層１３は、例えば、ポリプロピレンの短繊維からなる不織布により形成されていることができる。
なお、外側層１３の不織布を構成する繊維としては、例えば、上記の内側層１０の不織布を構成する繊維を適用できる。
【００３３】
なお、上記実施形態で記載した各構成の符号は、以下の実施例に記載の具体的構成との対応関係を示すものである。
【実施例】
【００３４】
以下、図面を用いて実施例により本考案を具体的に説明する。
【００３５】
本実施例に係るマスク１は、図１及び図２に示すように、平面矩形状のマスク本体２と、マスク本体２の両側部に設けられる耳掛け部３と、を備えている。このマスク本体２の上縁部には、その上縁部が使用者の鼻に密着するように変形可能な形状保持部４が設けられている。この形状保持部４は、ポリエチレン等の樹脂板４ａにより構成されている。さらに、耳掛け部３は、断面扁平状の平ゴム紐により構成されている（図３参照）。
【００３６】
なお、マスク本体２には、内側に折り畳まれたひだ折りが形成されており、マスク１の使用者は、ひだ折りを広げた状態で耳掛け部３を両耳にかけることで、マスク本体２で口及び鼻を覆うようにマスク１を装着できる。
【００３７】
マスク本体２は、図３及び図４に示すように、使用者の皮膚に接する側から外側に向かって順に、内側層１０、第１フィルタ層１１、第２フィルタ層１２及び外側層１３を備えている。すなわち、マスク本体２は４層構造とされている。これら各層１０〜１３は、それぞれの外周縁部（即ち、上端部、下端部、左右の側端部）において熱融着されて一体化されている。なお、各層１０〜１３の外周縁部の内側は、熱溶着されていない。
【００３８】
内側層１０は、マスク本体２の最内側を構成する。この内側層１０は、スパンボンド不織布により形成されている。このスパンボンド不織布は、３層（ＳＳＳ不織布）で構成されている。さらに、スパンボンド不織布を構成する繊維（ポリプロピレン繊維等）の平均繊度は、約３．０デニールとされている。
【００３９】
第１フィルタ層（抗菌フィルタ層）１１は、銀繊維１７を含む不織布により形成されている。この不織布は、銀又は銀合金からなる銀繊維１７と、銀繊維１７と交絡される繊維（ポリプロピレン繊維等）１９と、を含んでいる（図４参照）。この銀繊維１７は、不織布内にランダムに分散されている。
【００４０】
第２フィルタ層（高密度フィルタ層）１２は、内側層１０及び外側層１３の各不織布の繊維よりも平均繊度が小さい繊維からなる不織布により形成されている。この第２フィルタ層１２は、メルトブローン不織布により形成されている。このメルトブローン不織布には、帯電加工が施されており、帯電性を有している。また、メルトブローン不織布を構成する繊維（ポリプロピレン繊維等）の平均繊度は、約０．２デニールとされている。
【００４１】
外側層１３は、マスク本体２の最外側を構成する。この外側層１３は、スパンボンド不織布により形成されている。このスパンボンド不織布は、２層（ＳＳ不織布）で構成されている。さらに、スパンボンド不織布を構成する繊維（ポリプロピレン繊維等）の平均繊度は、約３．０デニールとされている。
【００４２】
次に、上記構成のマスク１の作用効果について説明する。
使用者がマスク１を装着した状態で、外側から浸入するウィルス、細菌、花粉、埃などは、外側層１３、第２フィルタ層１２、第１フィルタ層１１及び内側層１０によって捕捉される。さらに、第１フィルタ層１１で補足されたウィルスや細菌は、銀繊維１７との接触により抗ウィルス、抗菌・静菌作用が付与される。さらに、第１フィルタ層１１で補足された花粉、微小粒子状物質（ＰＭ２．５）、ハウスダスト等は銀繊維１７との接触によりその活動を抑えられる。
なお、マスク１の使用者が感染者である場合、感染者の呼吸から出たウィルスや細菌は、第１フィルタ層１１で捕捉されて銀繊維１７との接触により抗ウィルス・抗菌・静菌作用が付与される。
【００４３】
以上より、本実施例のマスク１によると、マスク本体２は、使用者の皮膚に接する側に配置される内側層１０と、内側層１０よりも外側に配置される第１フィルタ層１１及び第２フィルタ層１２と、を備え、内側層１０は、不織布により形成されており、第１フィルタ層１１は、銀繊維１７を含む不織布により形成されており、第２フィルタ層１２は、内側層１０の不織布の繊維よりも平均繊度が小さい繊維からなる不織布により形成されている。これにより、内側層１０、第１フィルタ層１１及び第２フィルタ層１２によってウィルス、細菌、花粉、埃などが効果的に補足されるとともに、第１フィルタ層１１で捕捉されたウィルスや細菌に対して銀繊維１７との接触により抗ウィルス・抗菌・静菌作用などが効果的に付与される。さらに、銀繊維１７を用いているため、不織布として一体感があり、また劣化による脱離が抑制される。
【００４４】
また、本実施例では、銀繊維１７は、不織布内に分散されている。これにより、第１フィルタ層１１による抗ウィルス・抗菌・静菌作用などが更に高められる。
【００４５】
また、本実施例では、第２フィルタ層１２は、帯電性を有するメルトブローン不織布により形成されている。これにより、第２フィルタ層１２によるウィルス等の捕捉効率が更に高められる。
【００４６】
また、本実施例では、第２フィルタ層１２は、第１フルタ１１よりも外側に配置されている。これにより、マスクの外側から侵入するウィルス、細菌、花粉、埃などが第２フィルタ層１２で補足され、第２フィルタ層１２を通過した極小のものが第１フィルタ層１１で捕捉される。よって、第１フィルタ層１１による抗ウィルス・抗菌・静菌作用などが更に高められる。
【００４７】
また、本実施例では、内側層１０及び外側層１３は、スパンボンド不織布により形成されている。これにより、安価で且つ柔軟性に優れた内側層１０及び外側層１３を提供できる。特に、内側層１０のスパンボンド不織布の層数（ＳＳＳ不織布）は、外側層１３のスパンボンド不織布の層数（ＳＳ不織布）より多いため、内側層及び外側層のコストを抑えつつ、使用者の肌にやさしい柔らかな内側層１０を提供できる。
【００４８】
また、本実施例では、内側層１０、第１フィルタ層１１、第２フィルタ層１２及び外側層１３の各外周縁部が溶着されている。これにより、各層１０〜１３の外周縁部の内側が溶着されていないため、柔軟性に優れたマスク１を提供できる。特に、マスク１の使用時にひだ折りを容易に広げることができる。
【００４９】
また、本実施例では、マスク本体２の上縁部には、形状保持部４が設けられており、形状保持部４は、樹脂板４ａからなる。これにより、金属ワイヤーを用いていないので、安全且つさびにくく、更に鼻形状に沿わせることも容易である。
【００５０】
さらに、本実施例では、耳掛け部３は、平ゴム紐により構成されている。これにより、使用者の耳が痛くなりにくい。
【００５１】
尚、本考案においては、上記実施例に限られず、目的、用途に基づいて本考案の範囲内で種々変更した実施例とすることができる。即ち、上記実施例では、樹脂板４ａからなる形状保持部４を例示したが、これに限定されず、例えば、図６に示すように、樹脂板４ａと、樹脂板４ａ内に埋設された上下に平行な２本の金属ワイヤー４ｂと、を有する形状保持部４としてもよい。これにより、鼻形状に容易に沿わせて鼻周辺の隙間を少なくすることができる。
【００５２】
また、上記実施例では、使用者の皮膚に接する側から外側に向かって順に内側層１０、第１フィルタ層１１、第２フィルタ層１２及び外側層１３を備えるマスク本体２を例示したが、これに限定されず、例えば、図７（ａ）に示すように、使用者の皮膚に接する側から外側に向かって順に内側層１０、第２フィルタ層１２、第１フィルタ層１１及び外側層１３を備えるマスク本体２としてもよい。
【００５３】
また、上記実施例では、４層構造のマスク本体２を例示したが、これに限定されず、例えば、図７（ｂ）に示すように、３層構造のマスク本体２としてもよい。さらに、例えば、図７（ｃ）（ｄ）に示すように、５層以上の構造のマスク本体２としてもよい。この場合、例えば、複数の第１フィルタ層１１と単一の第２フィルタ層１２とを備えたり、単一の第１フィルタ層１１と複数の第２フィルタ層１２とを備えたり、複数の第１フィルタ層１１及び第２フィルタ層１２を備えたりできる。なお、第１及び第２フィルタ層１１、１２の並び順は適宜選択できる。
【００５４】
また、上記実施例では、銀繊維１７と繊維１９とを含む不織布により形成された第１フィルタ層１１を例示したが、これに限定されず、例えば、図８（ａ）に示すように、銅繊維１８と繊維１９とを含む不織布により形成された第１フィルタ層１１としてもよい。さらに、例えば、図８（ｂ）に示すように、銀繊維１７と銅繊維１８と繊維１９とを含む不織布により形成された第１フィルタ層１１としてもよい。
【００５５】
さらに、上記実施例では、不織布により形成された第１フィルタ層１１を例示したが、これに限定されず、例えば、濾紙により形成された第１フィルタ層１１としてもよい。
【００５６】
本考案は上記で詳述した実施形態に限定されず、本考案の請求項に示した範囲で様々な変形または変更が可能である。
【産業上の利用可能性】
【００５７】
本考案は、花粉症対策、風邪対策、ウィルス対策、防寒対策、防塵などのためのマスクとして広く利用される。特に、使い捨てマスクとして好適に利用される。
【符号の説明】
【００５８】
１；マスク、２；マスク本体、３；耳掛け部、４；形状保持部、４ａ；樹脂板、４ｂ；金属ワイヤー、１０；内側層、１１；第１フィルタ層、１２；第２フィルタ層、１３；外側層、１７；銀繊維、１８；銅繊維。
【図１】
0003232524.tif 000003
【図２】
0003232524.tif 000004
【図３】
0003232524.tif 000005
【図４】
0003232524.tif 000006
【図５】
0003232524.tif 000007
【図６】
0003232524.tif 000008
【図７】
0003232524.tif 000009
【図８】
0003232524.tif 000010